(57)【要約】【課題】角度を傾斜させて遊技機を島設備に取り付けたときの取り付け安定性を向上し得る遊技機の取り付け機構を提供する。【解決手段】遊技場の島設備Ｓの上枠Ｓ４と下枠Ｓ２の間で、遊技機Ｐを奥行き方向に傾斜させて遊技機Ｐの外枠１を前記島設備Ｓの上枠Ｓ４及び下枠Ｓ２に取り付けることにより配設可能な取り付け機構Ｔであって、取り付け機構Ｔは、上下左右の側板２，３，４，５が方形枠状に組み合わさってなる外枠１の上下の側板２，３が、それぞれ外枠１に対して水平方向を回動軸とし、左右の側板４，５を支軸として回動することにより変位可能に構成されている。【選択図】図２
2008253556.tif 000002
【特許請求の範囲】
【請求項１】
遊技場の島設備の上枠と下枠の間で、遊技機を奥行き方向に傾斜させて遊技機の外枠を前記島設備の上枠及び下枠に取り付けることにより配設可能な取り付け機構であって、
取り付け機構は、
上下左右の側板が方形枠状に組み合わさってなる外枠の上下の側板が、それぞれ外枠に対して水平方向を回動軸とし、左右の側板を支軸として回動することにより変位可能に構成されていることを特徴とする遊技機の取り付け機構。
【請求項２】
外枠の上下の側板が、それぞれ外枠に対して垂直方向へ変位可能に構成されていることを特徴とする請求項１に記載の遊技機の取り付け機構。
【請求項３】
遊技構成部品が設けられた本体枠を外枠に対して回動可能に取り付けたときに、外枠の上下の側板の少なくともいずれかと本体枠との間に生じる隙間への異物の侵入を防止する侵入防止手段を備えたことを特徴とする請求項１又は２に記載の遊技機の取り付け機構。
【請求項４】
外枠の上下の側板を変位させた後、当該位置にて上下の側板を保持する保持手段を設けたことを特徴とする請求項１乃至３のいずれかに記載の遊技機の取り付け機構。
【請求項５】
遊技場の島設備の上枠と下枠の間で、奥行き方向に傾斜させて外枠を前記島設備の上枠及び下枠に取り付けることにより配設される遊技機であって、
外枠は、
上下左右の側板が方形枠状に組み合わさって構成され、
前記上下の側板が、それぞれ外枠に対して水平方向を回動軸とし、左右の側板を支軸として回動することにより変位可能に構成されていることを特徴とする遊技機。
【請求項６】
外枠の上下の側板が、それぞれ外枠に対して垂直方向へ変位可能に構成されていることを特徴とする請求項５に記載の遊技機。
【請求項７】
遊技構成部品が設けられた本体枠を外枠に対して回動可能に取り付けたときに、外枠の上下の側板の少なくともいずれかと本体枠との間に生じる隙間への異物の侵入を防止する侵入防止手段を備えたことを特徴とする請求項５又は６に記載の遊技機。
【請求項８】
外枠の上下の側板を変位させた後、当該位置にて上下の側板を保持する保持手段を設けたことを特徴とする請求項５乃至７のいずれかに記載の遊技機。
【発明の詳細な説明】
【技術分野】
【０００１】
本発明は、遊技場の島設備に遊技機を取り付ける遊技機の取り付け機構及び遊技場の島設備に遊技機を取り付けるための外枠を備えた遊技機に関する。
【背景技術】
【０００２】
一般に弾球遊技機は、遊技場に備え付けられた島設備に多数並設して配設されている。
従来、この種の遊技機は、島設備に取り付けるための外枠に本体枠を装着するように構成されている（特許文献１）。
この場合、島設備には、各遊技機の縦方向幅よりも僅かに広い間隔をあけて並設した上枠と下枠を備え、遊技機は、前記島設備の上枠と下枠の間で所定角度（鉛直方向に対して約５°程度）をもって奥行き方向に傾斜させ、その状態で遊技機の外枠を前記上枠と下枠に取り付け固定していた。このように遊技機を奥行き方向に傾斜させて配設するのは、従来からの慣例でもあるが、入賞口への入賞確率調整を行うことを目的とすることも多い。
【特許文献１】特開２００１−１７０３１６号公報
【発明の開示】
【発明が解決しようとする課題】
【０００３】
上述のように島設備Ｓの上枠Ｓ４と下枠Ｓ２に対して、遊技機Ｐを奥行き方向Ｈ３に傾斜させて取り付ける場合、島設備Ｓの上枠Ｓ４と下枠Ｓ２から遊技機Ｐの上側板２と下側板３に釘やボルトを打ち込んで固定していた。
しかし、この場合において、従来の遊技機Ｐでは遊技機の外枠１は上側板２と下側板３と左右側板５（４）が一体に構成されているため、遊技機Ｐを傾斜させた状態で、島設備Ｓの上枠Ｓ４と下枠Ｓ２から遊技機Ｐの上側板２と下側板３に釘等を打ち込んで固定すると、図７に示すように、遊技機Ｐの上側板２と島設備Ｓの上枠Ｓ４との間、及び遊技機Ｐの下側板３と島設備Ｓの下枠Ｓ２との間に隙間（鉛直方向Ｈ２に対して約５°の隙間）が生じてしまい、遊技機設置の安定性に欠けるという課題を有していた。
【０００４】
本発明は、このような問題を解決するためになされており、その目的とするところは、角度を傾斜させて遊技機を島設備に取り付けたときの取り付け安定性を向上し得る遊技機の取り付け機構を提供することである。
【課題を解決するための手段】
【０００５】
このような目的を達成するために、第１の発明は、遊技場の島設備Ｓの上枠Ｓ４と下枠Ｓ２の間で、遊技機Ｐを奥行き方向に傾斜させて遊技機Ｐの外枠１を前記島設備Ｓの上枠Ｓ４及び下枠Ｓ２に取り付けることにより配設可能な取り付け機構Ｔであって、取り付け機構Ｔは、上下左右の側板２，３，４，５が方形枠状に組み合わさってなる外枠１の上下の側板２，３が、それぞれ外枠１に対して水平方向Ｈ１を回動軸とし、左右の側板４，５を支軸として回動することにより変位可能に構成されていることを特徴とする遊技機Ｐの取り付け機構Ｔとしたことである。
【０００６】
本発明によれば、遊技機Ｐの外枠１を構成している上側板２の上面全領域と下側板３の下面全領域を、それぞれ島設備Ｓの上枠Ｓ４と下枠Ｓ２に対面させて接触させることが可能となり、遊技機Ｐの取り付け安定性が向上する。
【０００７】
第２の発明は、第１の発明において、外枠１の上下の側板２，３が、それぞれ外枠１に対して垂直方向へ変位可能に構成されていることを特徴とする遊技機Ｐの取り付け機構Ｔとしたことである。
【０００８】
本発明によれば、遊技機Ｐの外枠１を構成している上側板２の上面全領域と下側板３の下面全領域を、それぞれ島設備Ｓの上枠Ｓ４と下枠Ｓ２により密着させて取り付けることが可能となり、遊技機Ｐの取り付け安定性がさらに向上する。
【０００９】
第３の発明は、第１又は第２の発明において、遊技構成部品が設けられた本体枠９を外枠１に対して回動可能に取り付けたときに、外枠１の上下の側板２，３の少なくともいずれかと本体枠９との間に生じる隙間への異物の侵入を防止する侵入防止手段Ｒを備えたことを特徴とする遊技機Ｐの取り付け機構Ｔとしたことである。
【００１０】
本発明によれば、遊技機Ｐを傾斜させて島設備Ｓに配設した場合に、遊技機Ｐの外枠１を構成している上側板２及び下側板３と、その外枠１に取り付けられた本体枠９との間に隙間が生じるが、この隙間が生じている領域に侵入防止手段Ｒを備えているため、この隙間からピアノ線などの異物を侵入させて不正行為を行おうとした際に、その不正行為が行えないようにすることが可能となる。
【００１１】
第４の発明は、第１乃至第３のいずれかの発明において、外枠１の上下の側板２，３を変位させた後、当該位置にて上下の側板２，３を保持する保持手段を設けたことを特徴とする遊技機Ｐの取り付け機構Ｔとしたことである。
【００１２】
本発明によれば、遊技機Ｐを島設備Ｓから取り外し、再度配設する場合に、改めて外枠１の上下側板２，３の位置調整が不要であるため、利便性が向上するとともに、外枠１を構成している左右の側板４，５に対する上下の側板２，３の取り付け安定性が向上する。
【００１３】
第５の発明は、遊技場の島設備Ｓの上枠Ｓ４と下枠Ｓ２の間で、奥行き方向に傾斜させて外枠１を前記島設備Ｓの上枠Ｓ４及び下枠Ｓ２に取り付けることにより配設される遊技機Ｐであって、外枠１は、上下左右の側板２，３，４，５が方形枠状に組み合わさって構成され、前記上下の側板２，３が、それぞれ外枠１に対して水平方向Ｈ１を回動軸とし、左右の側板４，５を支軸として回動することにより変位可能に構成されていることを特徴とする遊技機Ｐとしたことである。
【００１４】
本発明によれば、遊技機Ｐの外枠１を構成している上側板２の上面全領域と下側板３の下面全領域を、それぞれ島設備Ｓの上枠Ｓ４と下枠Ｓ２に対面させて接触させることが可能となるので、遊技機Ｐの取り付け安定性が向上する。また、構造が簡易でかつ容易に島設備Ｓに対し、奥行き方向に傾斜させて配設することが可能である。
【００１５】
第６の発明は、第５の発明において、外枠１の上下の側板２，３が、それぞれ外枠１に対して垂直方向へ変位可能に構成されていることを特徴とする遊技機Ｐとしたことである。
【００１６】
本発明によれば、遊技機Ｐの外枠１を構成している上側板２の上面全領域と下側板３の下面全領域を、それぞれ島設備Ｓの上枠Ｓ４と下枠Ｓ２により密着させて取り付けることが可能となり、遊技機Ｐの取り付け安定性がさらに向上する。
【００１７】
第７の発明は、第５又は第６の発明において、遊技構成部品が設けられた本体枠９を外枠１に対して回動可能に取り付けたときに、外枠１の上下の側板２，３の少なくともいずれかと本体枠９との間に生じる隙間への異物の侵入を防止する侵入防止手段Ｒを備えたことを特徴とする遊技機Ｐとしたことである。
【００１８】
本発明によれば、遊技機Ｐを傾斜させて島設備Ｓに配設した場合に、遊技機Ｐの外枠１を構成している上側板２及び下側板３と、その外枠１に取り付けられた本体枠９との間に隙間が生じるが、この隙間が生じている領域に侵入防止手段Ｒを備えているため、この隙間からピアノ線などの異物を侵入させて不正行為を行おうとした際に、その不正行為が行えないようにすることが可能となる。
【００１９】
第８の発明は、第５乃至第７のいずれかの発明において、外枠１の上下の側板２，３を変位させた後、当該位置にて上下の側板２，３を保持する保持手段を設けたことを特徴とする遊技機Ｐとしたことである。
【００２０】
本発明によれば、遊技機Ｐを島設備Ｓから取り外し、再度配設する場合に、改めて外枠１の上下側板２，３の位置調整が不要であるため、利便性が向上するとともに、外枠１を構成している左右の側板４，５に対する上下の側板２，３の取り付け安定性が向上する。
【発明の効果】
【００２１】
本発明によれば、角度を傾斜させて遊技機を島設備に取り付けたときの取り付け安定性を向上し得る遊技機の取り付け機構を提供することができる。
【発明を実施するための最良の形態】
【００２２】
本発明の一実施形態について説明する。図１及び図２は実施例１、図３は実施例２、図４乃至図６は実施例３をそれぞれ示す図である。
なお、本実施形態は本発明の一適用例にすぎずなんらこれに限定解釈されるものではなく、本発明の範囲内で設計変更可能である。すなわち、本発明は、遊技場の島設備の上枠と下枠の間で、遊技機を奥行き方向に傾斜させて遊技機の外枠を前記島設備の上枠及び下枠に取り付けることにより配設可能な取り付け機構に特徴を有するものであるため、本実施例では、遊技機の具体的な形態を図示省略しているが、周知の遊技機形態が適用可能である。なお、封入球式遊技機なども対象である。以下、本発明の特徴的構成部分である遊技機の取り付け機構についての説明に留め、島設備や遊技機の具体的詳細な説明は特に限定されないため省略する。
【実施例１】
【００２３】
図１及び図２は、本発明を適用した遊技機Ｐの実施例１で、遊技機Ｐの島設備Ｓへの取り付け配設状態を示す概略図である。
図面において、符号Ｓ４は島設備Ｓの上枠、Ｓ２は下枠を示し、Ｐは遊技機、Ｔは遊技機Ｐの取り付け機構を示す。
【００２４】
島設備Ｓは、遊技機Ｐを遊技場の所定位置に並設させる設備であって、遊技場の床面に設置される据付台Ｓ１と、この据付台Ｓ１の上部に設置される長尺な下枠Ｓ２と、該下枠Ｓ２の長手方向に所定間隔をあけて立設した所定長さの複数個の縦枠Ｓ３と、それぞれの縦枠Ｓ３の上端にわたって架け渡されて固定される長尺な上枠Ｓ４とで構成されている。
隣り合う縦枠Ｓ３の幅方向（図１において矢印Ｈ１で示す水平方向）間隔は、配設される遊技機Ｐが組み込み可能な幅間隔が設定されており、上枠Ｓ４と下枠Ｓ２との間の高さ方向（図１において矢印Ｈ２で示す鉛直方向）間隔は、配設される遊技機Ｐが組み込み可能な高さ間隔が設定されている。
なお、島設備Ｓは、このような構成に限定解釈されるものではなく、少なくとも上枠Ｓ４と下枠Ｓ２を備えて遊技機Ｐを遊技場に取り付け固定して配設可能な構成を有しておればよく本発明の範囲内で設計変更可能である。
【００２５】
遊技機Ｐは、遊技場の島設備Ｓに取り付けられる外枠１を含み、該外枠１には、種々の遊技構成部材が設けられた本体枠９（遊技機本体枠）がヒンジ機構によって回動可能（開閉可能）に取り付けられている。
【００２６】
外枠１は、上側板２、下側板３、左側板４、及び右側板５が方形枠状に組み合わさって構成されており、本実施例では、上側板２と下側板３が、左側板４と右側板５にそれぞれ接離可能に連結部材６を介して一体に接続されて構成されている。
本実施例では、左側板４に本体枠９がヒンジ機構（図示省略）を介して回動可能に取り付けられている。
そして、左側板４と右側板５のそれぞれの上下端寄りの外面所定位置には、支持軸７が側板高さ方向で同一軸線上に突設されている。また、上側板２と下側板３のそれぞれの左右方向端面には、前記支持軸７と同一軸線上に回動軸８が突設されている。そして、前記回動軸８と支持軸７は、縦長楕円形状の連結部材６（連結板）にそれぞれ挿通して連結されている。
【００２７】
連結部材６には、その連結部材６が、前記回動軸８を支点として左右方向に回転するように、回動軸８を挿通する平面視円形孔６ａと、その円形孔６ａが設けられている側と異なる側であって、連結部材６の左右方向の回転作動に従って、前記支持軸７を孔長さ方向に移動可能に挿通する長孔６ｂ（平面視楕円形孔）を備えている。
【００２８】
本実施例における回動軸８は、該回動軸８を支点として左右方向に回転摺動する連結板を所定位置で締め付けて回転不能に保持する締め付けボルトが一例として挙げられ、一方、支持軸７は、連結部材６の左右方向への回転作動により、長孔６ｂ内を孔方向で移動し、所定位置で連結部材６を締め付け固定する締め付けボルトが一例として挙げられる。
【００２９】
本実施例では、上述した左右の側板４，５と分離して備えられる上側板２と下側板３、前記回動軸８と支持軸７、及び連結部材６によって、遊技機Ｐの取り付け機構Ｔが構成されている。
【００３０】
すなわち、本実施例では、上述したように、上側板２と下側板３のそれぞれの左右端面に、それぞれ回動軸８を設け、左側板４と右側板５のそれぞれの外面上下位置にそれぞれ支持軸７を設け、前記回動軸８と支持軸７をそれぞれ挿通する円形孔６ａと長孔６ｂを設けた連結部材６で上側板２と下側板３をそれぞれ左右の側板４，５に対して回動可能に連結した取り付け機構Ｔとしていることから、外枠１の上下の側板２，３が、それぞれ外枠１に対して水平方向（図１において矢印Ｈ１で示す方向）を回動軸とし、左右の側板４，５を支軸として回動することにより変位可能に構成されている。
【００３１】
また、本実施例の取り付け機構Ｔでは、連結部材６に長孔６ｂを設け、この長孔６ｂに左右の側板４，５に突設した支持軸７を、孔長さ方向に移動可能に挿通している構成を採用していることから、外枠１の上下の側板２，３が、それぞれ外枠１に対して垂直方向（鉛直方向Ｈ２）へも変位可能に構成されている。
【００３２】
さらに、本実施例では、回動軸８と支持軸７が、それぞれ所定位置で連結部材６を回転不能に締め付け固定する締め付けボルトで構成されているため、この回動軸８と支持軸７が、外枠１の上下の側板２，３を変位させた後、当該所定位置にて上下の側板２，３を動かないように保持する保持手段として機能している。
【００３３】
なお、本体枠９に設けられる遊技構成部材として、例えば、遊技盤ベースに入賞装置などの種々の遊技部材を備えて遊技球転動領域を構成している遊技盤、所定の可変表示開始条件が成立すると、複数の図柄表示領域のそれぞれにおいて、複数種類の図柄が可変表示する演出表示装置（例えば液晶表示装置（LCD:Liquid Crystal Display）など）、主制御基板や副制御基板などの制御機構を備えた制御ユニットなどが一例として挙げられる。
【００３４】
従って、遊技機Ｐは、ヒンジ機構を介して外枠１と連結している本体枠９を取り外した状態で島設備Ｓの上枠Ｓ４と下枠Ｓ２の間に仮置きし、まず、それぞれの連結部材６の両端に位置している回動軸８（締め付けボルト）と支持軸７（締め付けボルト）をそれぞれ緩める。そして、外枠１の下側板３の下面全領域を島設備Ｓの下枠Ｓ２の上面（取付面）全領域と対面させるように、下側板３を回動させて所定角度で傾斜角をつける。そしてその状態で、前記下側板３に釘あるいはボルトなどを打ち込んで前記下枠Ｓ２に固定する。
そして次に、外枠１の上側板２の上面全領域を島設備Ｓの上枠Ｓ４の下面（取付面）全領域と対面させるように、上側板２を回動させて所定角度傾斜角をつける。そしてその状態で、前記上側板２に釘あるいはボルトなどを打ち込んで前記上枠Ｓ４に固定する。
このとき、外枠１の左右側板４，５は、上端側が下端側よりも奥行き方向（図２において矢印Ｈ３で示す方向）に約５度程度傾斜するように取り付けられるため、本体枠９を外枠１に装着した際には、この本体枠９も同様の傾斜角で備えられる。
本実施例によれば、上述のように、上側板２と下側板３がそれぞれ水平方向Ｈ１を回動軸として回動可能、かつ上下高さ方向（鉛直方向Ｈ２）に変位可能とし、遊技機Ｐを島設備Ｓに対して所定傾斜角をもって配設することができる取り付け機構Ｔを備えているため、外枠１の上側板２と下側板３のそれぞれの取付面全領域と、島設備Ｓの上枠Ｓ４と下枠Ｓ２のそれぞれの取付面全領域とを対面させて取り付けることができるため、取り付け安定性が向上する。
また、本実施例によれば、外枠１の上側板２と下側板３を鉛直方向Ｈ２（上下方向）に変位可能としているため、島設備Ｓの高さ方向の誤差にも十分に対応することができ、取り付け安定性を向上することができる。
【００３５】
なお、本実施例の取り付け機構Ｔは、外枠１の上側板２と下側板３がそれぞれ水平方向Ｈ１を回動軸とする回動機能および鉛直方向Ｈ２（上下方向）への変位機能を有しているが、島設備Ｓの上枠Ｓ４（下枠Ｓ２）が鉛直方向に変位可能な構成であれば回動機能のみを有していればよい。
また、本実施例では、回動軸８としての締め付けボルトと、支持軸７としての締め付けボルトによって連結部材６を締め付け固定して位置固定を行うようにしているが、例えばラチェット構造を採用したり、その他、外枠１の上側板２と下側板３をそれぞれ所定の傾斜角で傾斜調整した位置で固定できる手段を採用するものであれば何れの手段も本発明の範囲内である。
さらに、本実施例では、取り付け機構Ｔを構成している連結部材６（連結板）と回動軸８・支持軸７のセットを、外枠１の片側上下に一対ずつ配設している構成を採用しているが、片側上下に一対ずつに限らず、複数備える形態を採用することも可能で本発明の範囲内である。このように構成することで、締め付け時の固定が確実である。
【実施例２】
【００３６】
図３は実施例２の要部を示す部分拡大側面図である。
本実施例２では、実施例１の取り付け機構Ｔを備えた遊技機Ｐにおいて、異物の侵入を防止する侵入防止手段Ｒを付加した実施の一例である。
本実施例によれば、外枠１の上側板２及び下側板３と本体枠９との間に、異物の侵入防止手段Ｒとして機能する高さ方向（鉛直方向Ｈ２）に伸縮可能なゴム製の蛇腹部Ｒ１を配設している。
このように蛇腹部Ｒ１を配設することにより、外枠１を傾斜させて配設した際に生じる本体枠９との間の隙間が、この蛇腹部Ｒ１によって緊密に塞ぐことが出来る。
これにより、前記隙間から針金などの異物を侵入（挿入）して内部機構を操作しようとする違法行為を未然に防止することができる。本実施例では、外枠１の上側板２と下側板３にそれぞれ蛇腹部Ｒ１の配設溝１１を設け、その溝１１内に蛇腹部Ｒ１の一端側を取り付け固定するとともに、蛇腹部Ｒ１の他端側の前面を外枠１の左右側板４，５の前面にわたって架け渡される前板部材１０に取り付け固定している。
なお、蛇腹部Ｒ１は、その材質、形状などに特に限定されるものではなく、本発明の範囲内で設計変更可能である。
その他の構成及び作用効果は実施例１と同様であるためその説明は省略する。
【実施例３】
【００３７】
図４及び図５は本発明を適用した遊技機Ｐの実施例３で、図４は遊技機Ｐの島設備Ｓへの取り付け配設状態を示す概略側面図で、図５は侵入防止手段Ｒの構成を示す部分概略斜視図ある。
本実施例では、遊技機Ｐを傾斜させて取り付け配設する取り付け機構Ｔにあっては実施例１と同じであるが、本実施例３は、前記実施例２の侵入防止手段Ｒの他の実施形態を備えた実施の一例である。
【００３８】
本実施例における侵入防止手段Ｒは、外枠１の上側板２の下面と、下側板３の上面に固定して備えられ、それぞれ上方、下方が開口する箱状部材Ｒ２と、実施例２で説明した前板部材１０と前記箱状部材Ｒ２の前壁１２との間にわたって緊密に配設される弾性部材Ｒ３で構成されている。
【００３９】
本実施例の箱状部材Ｒ２は、前面壁１２、後面壁１３、及び左右側面壁１４，１５により方形枠状に形成されており、上側板２の下面側に取り付け固定して下方開口状に備えた上側箱状部材Ｒ２１と、下側板３の上面側に取り付け固定して上方開口状に備えた下側箱状部材Ｒ２２とする。
【００４０】
本実施例では、弾性部材Ｒ３として断面視略Ｕ字形状に湾曲状に備えられた長尺の板バネが採用されている。板バネ（弾性部材Ｒ３）は、前記それぞれの箱状部材Ｒ２１，Ｒ２２の前面壁１２の所定領域に一端側が固定されるとともに、他端側が前板部材１０の内面に固定され、それぞれ断面視略Ｕ字形状に湾曲して備えられており、上側板２、下側板３の角度によって変位可能である。この板バネ（弾性部材Ｒ３）は、下側板３や上側板２の変位に追随して変位可能で、例えば下側板３の変位（回動）により板バネ（弾性部材Ｒ３）の圧縮度合が変化し、常に外枠１と本体枠９との間に生じる隙間を埋めることができる。なお、本実施例では、左右の側板４，５の後ろ側にわたって架け渡される後板部材（図示省略）とそれぞれの箱状部材Ｒ２１，Ｒ２２の後面壁１３との間にも同様の板バネ（弾性部材Ｒ３）が配設されている。
なお、箱状部材Ｒ２は、その材質、形状などに特に限定されるものではなく、本発明の範囲内で設計変更可能である。また、板バネ（弾性部材Ｒ３）の前板部材１０と接する領域は、本実施例によれば固定されるものとしているが、単に当接させるだけで固定されていない場合であっても本発明の範囲内である。
その他の構成及び作用効果は実施例１と同様であるためその説明は省略する。
「変形例１」
【００４１】
上述した実施例３では、取り付け機構Ｔとして実施例１と同様の機構を採用していたが、図６に示す機構を採用することも可能で本発明の範囲内である。
例えば、本実施例３で説明した上側板２と下側板３にそれぞれ一体に取り付け固定されている箱状部材Ｒ２の左右側面壁１４，１５に、それぞれ回動軸８としての締め付けボルトを突設し、そして左右の側板４，５のそれぞれの所定位置に、前記各締め付けボルト（回動軸８）が貫通する略楕円形状の長孔１６をそれぞれ設け、この締め付けボルト（回動軸８）を回動軸として外枠１の上側板２と下側板３がそれぞれ水平方向に回動可能に構成される。このように構成することで遊技機Ｐを傾斜させて島設備Ｓに取り付け固定できる取り付け機構Ｔが構成され、上述した実施例３と同様の作用効果が得られる。また、この図６の構成を採用することにより、締め付けボルト（回動軸８）の締結作業がそれぞれ１ヶ所で済むため作業効率の向上及び作業労力の軽減が図れる。
【図面の簡単な説明】
【００４２】
【図１】本発明を適用した実施例１の遊技機と島設備との関係を一部省略して示す概略分解斜視図である。
【図２】本発明を適用した実施例１の遊技機で、（ａ）は島設備に対して遊技機を傾斜させていない状態の概略側面図、（ｂ）は島設備に対して遊技機を傾斜させた状態を一部断面して示す概略側面図である。
【図３】実施例２を一部省略して示す概略拡大側面図である。
【図４】本発明を適用した実施例３の遊技機で、（ａ）は島設備に対して遊技機を傾斜させていない状態の概略側面図、（ｂ）は島設備に対して遊技機を傾斜させた状態を一部断面して示す概略側面図、（ｃ）は（ｂ）の要部を一部拡大して示す概略断面図である。
【図５】実施例３の遊技機の下枠側の構成を部分的に抜き出して表示してなる概略斜視図である。
【図６】実施例３の変形例を示す遊技機で、（ａ）は島設備に対して遊技機を傾斜させていない状態の概略側面図、（ｂ）は島設備に対して遊技機を傾斜させた状態を一部断面して示す概略側面図である。
【図７】従来の遊技機の島設備への取り付け配設状態を示す概略側面図である。
【符号の説明】
【００４３】
Ｓ  島設備
Ｓ２  下枠
Ｓ４  上枠
Ｐ  遊技機
Ｔ  取り付け機構
１  外枠
２  上側板
３  下側板
４  左側板
５  右側板
７  支持軸
８  回動軸
【図１】
2008253556.tif 000003
【図２】
2008253556.tif 000004
【図３】
2008253556.tif 000005
【図４】
2008253556.tif 000006
【図５】
2008253556.tif 000007
【図６】
2008253556.tif 000008
【図７】
2008253556.tif 000009